(57)【要約】      （修正有）【課題】郵便受けとしても使用でき、しかも、盗難に対して安全な盗難防止用の宅配受け箱を提供する。【解決手段】宅配荷物を投入し得る前面開放型の宅配ボックス１と、これにその前面を封じるよう軸支される開閉扉２とからなる自動ロック装置付きの宅配受け箱において、宅配ボックスと開閉扉とは、アルミ押出形材のフレームが連結してなる骨組みに外装板材を組み込むことにより組み立てられ、開閉扉の開閉先端のフレームに自動ロック装置９のロックおよび解除の操作盤２１が取り付けられ、さらに、開閉扉には、上端部に郵便受け口１４を設けて郵便投函可能に構成されている。【選択図】図１
0003182955.tif 000002
【実用新案登録請求の範囲】
【請求項１】
宅配荷物を投入し得る前面開放型の宅配ボックスと、これにその前面を封じるよう軸支される開閉扉とからなる自動ロック装置付きの宅配受け箱において、宅配ボックスと開閉扉とは、アルミ押出形材のフレームが連結してなる骨組みに外装板材を組み込むことにより組み立てられ、開閉扉の開閉先端のフレームに自動ロック装置のロックおよび解除の操作盤が取り付けられ、さらに、開閉扉には、上端部に郵便受け口を設けて郵便投函可能に構成されていることを特徴とする盗難防止用の宅配受け箱。
【請求項２】
宅配ボックスと開閉扉とにおいて、骨組みを構成するフレームどうしがビスにより連結され、そのビスの頭部にドライバー先の付穴が右回りのみに掛かるよう段差掛止部間に左回りの傾斜逃げ部が形成されていることを特徴とする請求項１記載の盗難防止用の宅配受け箱。
【請求項３】
自動ロック装置は、操作盤に開閉扉の裏側で宅配ボックスの開放口のフレームに掛けてロックする板状の回転キーを設けてなり、さらに操作盤には、暗証入力ボタンの配列群と、暗証入力によりロック解除するための取っ手を備えてあることを特徴とする請求項１又は２記載の盗難防止用の宅配受け箱。
【考案の詳細な説明】
【技術分野】
【０００１】
この考案は、留守中にも宅配荷物を安全に受け取ることができるように玄関等に設置する盗難防止用の宅配受け箱に関する。
【背景技術】
【０００２】
現在、注文品等の荷物が業者によって宅配されることが多くなっているが、それは、原則として受取人が直接引き取る形式によって盗難の防止が図られている。しかし、これでは受取人の在宅が強いられることになる不便があるため、不在中に宅配物が投入されるボックスであって、盗難防止の自動ロック装置を備えた宅配受け箱の提案が見られる(特許文献１、２)。
【０００３】
従来のこの宅配受け箱は、複数の宅配が重なって損傷しないよう重なりを防止するために、開閉扉を閉じると開かなくなる自動ロック装置付きであった。
【先行技術文献】
【特許文献】
【０００４】
【特許文献１】実開平４−９１８９９号公報
【特許文献２】実開平５−４３９７６号公報
【考案の概要】
【考案が解決しようとする課題】
【０００５】
ところで、宅配受け箱は、普通の郵便受けと比較して大きいために、狭い玄関に置く制約を受ける結果、郵便受けが隠れて郵便配達員が投函するのに支障となるという問題があった。
【０００６】
また、従来の宅配受け箱は、板材だけで全体が組み立てられていたので、不正者が容易に解体して中の物を取り出すことができ、また、強度不足から自動ロック装置を強力に且つ安全に装備することもできなかった。
【０００７】
この考案は、上記のような実情に鑑みて、郵便受けとしても使用でき、しかも、盗難に対して安全な宅配受け箱を提供することを課題とした。
【課題を解決するための手段】
【０００８】
上記の課題を解決するために、この考案は、宅配荷物を投入し得る前面開放型の宅配ボックスと、これにその前面を封じるよう軸支される開閉扉とからなる自動ロック装置付きの宅配受け箱において、宅配ボックスと開閉扉とは、アルミ押出形材のフレームが連結してなる骨組みに外装板材を組み込むことにより組み立てられ、開閉扉の開閉先端のフレームに自動ロック装置のロックおよび解除の操作盤が取り付けられ、さらに、開閉扉には、上端部に郵便受け口を設けて郵便投函可能に構成されていることを特徴とする盗難防止用の宅配受け箱を提供する。
【０００９】
宅配受け箱を上記のように構成したから、留守中に宅配荷物ばかりでなく郵便物も受け取ることができ、荷物を受け取るときに、家庭ではロック装置が「開」の状態に待機させておけば、宅配業者が荷物を投入した後に開閉扉を閉じると自動的にロックされるものである。
【考案の効果】
【００１０】
以上説明したように、この考案の宅配受け箱によれば、既存の郵便受けを使用する必要がなくなるので、玄関等に設置する位置に既存の郵便受けで制約されるようなことがなくなり、郵便受け口で郵便物の投函を受けることができる。また、殊に宅配荷物であると、留守中に投入されても、配達員が開閉扉を閉じるだけでロックされるだけでなく、強度のあるフレームにロックが支持される安全な防備により盗難防止を確実に図ることができるという優れた効果がある。
【図面の簡単な説明】
【００１１】
【図１】この考案による一実施例を示す盗難防止用の宅配受け箱の斜視図である。
【図２】同宅配受け箱の正面図である。
【図３】同宅配受け箱の一部拡大した正面図である。
【図４】他の実施例を示す宅配受け箱の正面図である。
【図５】この考案の実施に使用する箱組立て用のビスを示し、（イ）図は側面図、（ロ）頭部端面を示す拡大正面図である。
【考案を実施するための形態】
【００１２】
この考案においては、ボックスに郵便受け口１４を有する開閉扉２が具備されるが、ボックスの数には制約はなく、必要なだけの構成とすることができるものである。
【実施例１】
【００１３】
図１ないし図４は、上下二段にした２つのボックスの本体１と、上下の開閉扉２，２とからなるもので、両開閉扉２，２にはそれぞれ郵便受け口１４，１４が設けられる。
【００１４】
本体１と開閉扉２，２とはそれぞれ丈夫なアルミ押出形材からなる多数本のフレームと、その骨組みに支持される多数の外装板材１０とで組み立てられる。また、上下二段のボックス毎に自動ロック装置９、９が具備される。
【００１５】
本体１については、隅となる４本の縦フレーム３，３、３，３が配列され、隣接する各縦フレーム３，３の間には、上横フレーム５，５，５，５、中横フレーム６，６，６，６及び下横フレーム７，７，７，７が介在され、それぞれビス１１により連結され、組立てにより生じた各フレームの囲み内に外装板材１０が嵌め込まれる。また、上端に天板１２が、中間に中板１３が設けられる。
【００１６】
開閉扉２については、縦横フレーム４，４，８，８がこれも同じようにビスにより連結され、この枠組みの中に同じように外装板材１０が嵌め込まれる。そして、この開閉扉１０が上下蝶番１９，１９により本体１の縦フレーム３に取り付けられる。なお、蝶番１９は、強度を有する両方の縦フレーム３，３に確実にビス止めされる。
【００１７】
各縦横フレーム３，４，５，６，７，８には、外装板材１０を嵌め込むための嵌着溝を有する。これは図示しないが、１８が嵌着溝の一側片を示す。また、ビス１１による連結のため、各横フレーム５、６、７，８には、ビスポケット１５が設けられ、縦フレーム３の中に形成される仕切壁１７を通してビス１１がビスポケット１５に螺入して連結がなされている。
【００１８】
開閉扉２には、それぞれ自動ロック装置９，９の操作盤２１，２１が強度のある縦フレーム４の外面に取り付けられ、その操作盤２１には、暗証番号の入力ボタン２３，２３、・・が配列されるほか、取っ手２５が突設され、縦フレーム４の裏側には取っ手２５の回転軸と一体に回転するキー板２７が取り付けられる。そこで、宅配業者が開閉扉２を閉めると、キー板２７が上向きから横向きに回転して、本体１の縦フレーム３に掛かることによりロックされ、留守でも安全に保管される。
【００１９】
また、家族が暗証番号の入力により、取っ手２５でキー板２７を下に回転してロックを解除できるようになっている。なお、解除はキー板２７の回転によるので、万一幼児が誤って入ってロックされても、もがく手でキー板２７が下げられ、救助可能にロックが解除され得る安全性も備えているものである。
【００２０】
本体１および開閉扉２に使用されるビス１１は、特に外されるおそれのある個所のものは、不正されないように、頭部２９に有するドライバーの付穴３１が右回りにのみ掛かるようになっている。つまり十文字位置にドライバー先が右回りに掛かる段差の掛止部３３，３３，３３，３３を有するが、左回りには掛からないように欠除による傾斜逃げ部３５が形成される(図５)。
【実施例２】
【００２１】
図４は、一個のボックス型であるが、前記実施例とは同じような組立構造となっており、本体１については、四本の縦フレーム３，３，３，３の上端に上横フレーム５，５，５，５が、下端に下横フレーム７，７，７，７が組み付けられ、各側面に外装板材１０が嵌め込まれている。また、開閉扉２には、郵便受け口１４が設けられ、操作盤２１付きの自動ロック装置９が設けられる。
【符号の説明】
【００２２】
１  ボックス
２  開閉扉
３，４  縦フレーム
５，６，７、８  横フレーム
９  自動ロック装置
１０  外装板材
１１  ビス
１４  郵便受け口
２１  操作盤
２３  入力ボタン
２５  取っ手
２７  キー板
【図１】
0003182955.tif 000003
【図２】
0003182955.tif 000004
【図３】
0003182955.tif 000005
【図４】
0003182955.tif 000006
【図５】
0003182955.tif 000007